(57)【特許請求の範囲】
【請求項１】
デュアルセル高速ダウンリンクパケットアクセス（ＤＣ−ＨＳＤＰＡ）をサポートするノードＢで使用する方法であって、前記方法は、
前記ノードＢによって、不連続受信（ＤＲＸ）の活性化又はＤＲＸの非活性化を示すメッセージを生成することと、
前記ノードＢによって、アンカー搬送波又はサプリメンタリ搬送波を介して、前記メッセージを無線送信／受信ユニット（ＷＴＲＵ）に送信することと、
前記ノードＢによって、前記メッセージに基づいて、共通のＤＲＸパターンに従って、前記アンカー搬送波及び前記サプリメンタリ搬送波を介して前記ＷＴＲＵと通信することであって、ＤＲＸの活性化及び非活性化が、前記アンカー搬送波及び前記サプリメンタリ搬送波の双方に共通する、前記通信することと
を備えることを特徴とする方法。
【請求項２】
前記メッセージは、高速共有制御チャンネル（ＨＳ−ＳＣＣＨ）命令である、請求項１に記載の方法。
【請求項３】
デュアルセル高速ダウンリンクパケットアクセス（ＤＣ−ＨＳＤＰＡ）をサポートするように構成されたノードＢであって、前記ノードＢは、
不連続受信（ＤＲＸ）の活性化又はＤＲＸの非活性化を示すメッセージを生成するように構成されたプロセッサーと、
アンカー搬送波又はサプリメンタリ搬送波を介して、前記メッセージを無線送信／受信ユニット（ＷＴＲＵ）に送信するように構成された送信機と、
を備え、
前記ノードＢは、前記メッセージに基づいて、共通のＤＲＸパターンに従って、前記アンカー搬送波及び前記サプリメンタリ搬送波を介して前記ＷＴＲＵと通信するように構成され、
ＤＲＸの活性化及び非活性化は、前記アンカー搬送波及び前記サプリメンタリ搬送波の双方に共通する
ことを特徴とするノードＢ。
【請求項４】
前記メッセージは、高速共有制御チャンネル（ＨＳ−ＳＣＣＨ）命令である、請求項３に記載のノードＢ。
【請求項５】
デュアルセル高速ダウンリンクパケットアクセス（ＤＣ−ＨＳＤＰＡ）において不連続受信（ＤＲＸ）をサポートするように構成されたノードＢであって、前記ノードＢは、
ＤＲＸの活性化又はＤＲＸの非活性化を示す高速共有制御チャンネル（ＨＳ−ＳＣＣＨ）命令を生成するように構成されたプロセッサーと、
アンカー搬送波又はサプリメンタリ搬送波を介して、無線送信／受信ユニット（ＷＴＲＵ）に前記ＨＳ−ＳＣＣＨ命令を送信するように構成された送信機であって、前記ＨＳ−ＳＣＣＨ命令が、前記アンカー搬送波及び前記サプリメンタリ搬送波の双方に適用される共通のＤＲＸパターンを示す、送信機と
を備えるノードＢ。
【請求項６】
デュアルセル高速ダウンリンクパケットアクセス（ＤＣ−ＨＳＤＰＡ）において不連続受信（ＤＲＸ）をサポートするノードＢで使用する方法であって、前記方法は、
前記ノードＢにおいて、ＤＲＸの活性化又はＤＲＸの非活性化を示す高速共有制御チャンネル（ＨＳ−ＳＣＣＨ）命令を生成することと、
前記ノードＢによって、アンカー搬送波又はサプリメンタリ搬送波を介して、無線送信／受信ユニット（ＷＴＲＵ）に前記ＨＳ−ＳＣＣＨ命令を送信することであって、前記ＨＳ−ＳＣＣＨ命令が、前記アンカー搬送波及び前記サプリメンタリ搬送波の双方に適用される共通のＤＲＸパターンを示している、送信することと
を備える方法。
【発明の詳細な説明】
【技術分野】
【０００１】
本出願は、無線通信に関する。
【背景技術】
【０００２】
３ＧＰＰ（ｔｈｉｒｄ  ｇｅｎｅｒａｔｉｏｎ  ｐａｒｔｎｅｒｓｈｉｐ  ｐｒｏｊｅｃｔ）標準は、絶えず発展している。初期リリースは、主として音声通信に焦点を当てていたが、より最近のリリースは、例えばＨＳＰＡ（ｈｉｇｈ  ｓｐｅｅｄ  ｐａｃｋｅｔ  ａｃｃｅｓｓ）などのデータ通信サービスに関心を向けている。パケットアクセスサービスの継続した発展は、モバイルユーザーがレジャー、ビジネスまたは他の追求のために、いつでも、どこからでもインターネットに接続したいと望むことによって進行する。
【０００３】
ＣＰＣ（Ｃｏｎｔｉｎｕｏｕｓ  Ｐａｃｋｅｔ  Ｃｏｎｎｅｃｔｉｖｉｔｙ）は、低いアクティビティの期間の間、アクティブのままであることの悪影響を緩和する（すなわち、その時間の間の電力消費を減少させ、無線レイヤーシグナリングの帯域幅要件を減少させる）ことによって、データ転送が行われていない間、可能な限りデバイスを高速チャネル上（すなわち、アクティブ状態）に保っておくために、リリース７で導入された。ＣＰＣと共に実装された機能の中には、ＤＴＸ（ｄｉｓｃｏｎｔｉｎｕｏｕｓ  ｔｒａｎｓｍｉｓｓｉｏｎ）およびＤＲＸ（ｄｉｓｃｏｎｔｉｎｕｏｕｓ  ｒｅｃｅｐｔｉｏｎ）がある。関連するルールセットと共にＤＴＸパターンおよびＤＲＸパターンによって、ＷＴＲＵ（ｗｉｒｅｌｅｓｓ  ｔｒａｎｓｍｉｔ／ｒｅｃｅｉｖｅ  ｕｎｉｔ）が低アクティビティ期間の間にトランスミッターおよびレシーバーをオフにして電力を節約することを可能にする。
【０００４】
アップリンクＤＴＸは、どのようにＷＴＲＵがＤＰＣＣＨ（ｄｅｄｉｃａｔｅｄ  ｐｈｙｓｉｃａｌ  ｃｏｎｔｒｏｌ  ｃｈａｎｎｅｌ）を不連続に送信するのかを定義するメカニズムである。アップリンクＤＴＸは、ＲＮＣ（ｒａｄｉｏ  ｎｅｔｗｏｒｋ  ｃｏｎｔｒｏｌｌｅｒ）によって構成される。アップリンクＤＰＣＣＨバーストパターン、ならびにアップリンクＤＰＣＣＨプリアンブルおよびポストアンブルは共に、不連続アップリンクＤＰＣＣＨ動作を定義する。アップリンクＤＴＸは、Ｅ−ＤＣＨ（ｅｎｈａｎｃｅｄ  ｄｅｄｉｃａｔｅｄ  ｃｈａｎｎｅｌ）およびＨＳ−ＤＰＣＣＨ（ｈｉｇｈ  ｓｐｅｅｄ  ｄｅｄｉｃａｔｅｄ  ｐｈｙｓｉｃａｌ  ｃｏｎｔｒｏｌ  ｃｈａｎｎｅｌ）アクティビティに依存する。アップリンクＤＴＸは、ダウンリンクＤＲＸを構成することなしに構成することができる。
【０００５】
図１は、アップリンクのＤＰＣＣＨバーストパターンを示す。２つのＤＴＸパターン（ＵＥ＿ＤＴＸ＿ｃｙｃｌｅ＿１およびＵＥ＿ＤＴＸ＿ｃｙｃｌｅ＿２）が、ＷＴＲＵの不連続アップリンクＤＰＣＣＨ動作について定義される。ＵＥ＿ＤＴＸ＿ｃｙｃｌｅ＿１かＵＥ＿ＤＴＸ＿ｃｙｃｌｅ＿２かが、Ｅ−ＤＣＨの非アクティビティの継続時間に依存して適用される。ＵＥ＿ＤＴＸ＿ｃｙｃｌｅ＿２は、所定の数のサブフレームの間にＥ−ＤＣＨ送信がない場合に使用される。したがって、ＤＰＣＣＨ送信レートは、データ送信アクティビティに自律的に適応される。例えば、より高いデータ送信アクティビティの間、アップリンクＤＰＣＣＨを、より頻繁に送信するように構成できるが、より低いデータ送信アクティビティの間、ＤＰＣＣＨを、ＤＴＸ利得をもたらすために、それほど頻繁には送信しないように構成できる。Ｎｏｄｅ  Ｂによってサービスされる別個のＷＴＲＵのＤＰＣＣＨバーストパターンは、別個のＷＴＲＵが異なる時間におけるそれぞれのＤＴＸサイクルにおいてＤＰＣＣＨ送信位相を有することができるようにオフセットすることができる。
【０００６】
ＤＰＣＣＨは、Ｅ−ＤＣＨまたはＨＳ−ＤＰＣＣＨが送信されるときはいつでも送信される。ＷＴＲＵがＥ−ＤＣＨまたはＨＳ−ＤＰＣＣＨ上にデータを送信していないとき、ＷＴＲＵは、ＵＥ＿ＤＴＸ＿ｃｙｃｌｅ＿１サブフレーム（サブフレーム１０７、１０９、１１１、・・・）ごとに一度のサブフレームのショートバーストを除いてＤＰＣＣＨを送信しない。ＷＴＲＵが最後のＩｎａｃｔｉｖｉｔｙ＿Ｔｈｒｅｓｈｏｌｄ＿ｆｏｒ＿ＵＥ＿ＤＴＸ＿ｃｙｃｌｅ＿２サブフレーム（最後のＥ−ＤＣＨフレーム１０１）の間にＥ−ＤＣＨを送信しなかった場合、ＷＴＲＵは、ＵＥ＿ＤＴＸ＿ｃｙｃｌｅ＿２サブフレーム（サブフレーム１１３、・・・）ごとに一度のサブフレームのショートバーストを除いてＤＰＣＣＨを送信しない。
【０００７】
ＤＣ−ＨＳＤＰＡ（ｄｕａｌ  ｃｅｌｌ  ｈｉｇｈ  ｓｐｅｅｄ  ｄｏｗｎｌｉｎｋ  ｐａｃｋｅｔ  ａｃｃｅｓｓ）モードが導入されており、ダウンリンク送信用に２つのＨＳＤＰＡ搬送波を使用して、セルごとのスループットを増加させる。ＤＣ−ＨＳＤＰＡモードにおいて、セルは、同じ帯域内の（恐らく隣接する）最大２つのＨＳＤＰＡ搬送波によってカバーされる。搬送波間の周波数ダイバーシチによって、利得をもたらすことができる。ＤＣ−ＨＳＤＰＡは、スループットの増加と待ち時間の減少との両方をもたらす。例えばＭＩＭＯ（ｍｕｌｔｉｐｌｅ−ｉｎｐｕｔ  ｍｕｌｔｉｐｌｅ−ｏｕｔｐｕｔ）などの他の技術が実用的でないことがある悪い無線状態において、ＤＣ−ＨＳＤＰＡによって、より多くのＵＥがより高いデータレートを利用することができる。ネットワーク側において、ＤＣ−ＨＳＤＰＡによって、いくらかの容量利得に加えて、搬送波に渡る効率的なロードバランシングを可能にする。ＷＴＲＵを、ＣＥＬＬ＿ＤＣＨ状態のＤＣ−ＨＳＤＰＡ動作用に構成することができる。
【０００８】
ＤＴＸ動作およびＤＲＸ動作が単一の搬送波動作について明確に定義されるが、現時点において、ＤＣ−ＨＳＤＰＡモードのＤＲＸ動作に対処するメカニズムはない。加えて、ＨＳ−ＳＣＣＨが搬送波のうちの１つだけで送信される場合、現時点において、関連するＨＳ−ＰＤＳＣＨがどの搬送波上で送信されるかをＷＴＲＵに示すメカニズムはない。
【先行技術文献】
【非特許文献】
【０００９】
【非特許文献１】３ＧＰＰ  ＴＳ  ２５．３３１  Ｖ．８．５．０  第１０．３．６．３６ａ節
【発明の概要】
【００１０】
ＤＣ−ＨＳＤＰＡにおいて２つの搬送波上同時に受信して、ＤＴＸおよびＤＲＸを実行するための方法および装置を、開示する。ＷＴＲＵは、アンカー搬送波およびサプリメンタリ搬送波のうちの少なくとも１つについてＤＲＸを活性化するためのメッセージを受け取り、メッセージを受け取ると、アンカー搬送波およびサプリメンタリ搬送波に同じＤＲＸパターンを適用する。メッセージを、ＨＳ−ＳＣＣＨオーダーを介して受け取ることができる。ＷＴＲＵは、データがアンカー搬送波およびサプリメンタリ搬送波のうちのいずれか１つを介して受け取られる場合、アンカー搬送波とサプリメンタリ搬送波との両方のＤＲＸを非活性化できる。あるいはまた、ＷＴＲＵは、データがサプリメンタリ搬送波を介して受け取られる場合にだけ、サプリメンタリ搬送波上ＤＲＸを非活性化できる。
【００１１】
ＷＴＲＵは、例えば、ＨＳ−ＳＣＣＨオーダーなど、物理レイヤー信号に基づいてサプリメンタリ搬送波を活性化または非活性化することができる。ＷＴＲＵは、サプリメンタリ搬送波の非アクティビティタイマーが終了すると、サプリメンタリ搬送波を非活性化できる。ＷＴＲＵは、サプリメンタリ搬送波を活性化すると、アンカー搬送波およびサプリメンタリ搬送波の両方に同じＤＲＸパターンを適用できる。ＷＴＲＵは、サプリメンタリ搬送波を非活性化すると、サプリメンタリ搬送波に関連するハイブリッド自動再送要求（ＨＡＲＱ）バッファをフラッシュできる。あるいはまた、ＷＴＲＵは、サプリメンタリ搬送波を再活性化した後、サプリメンタリ搬送波を介して受け取られたデータを新しいデータとして処理できる。
【００１２】
より詳細な理解を、添付の図面と併せて例として与えられる以下の説明から得ることができる。
【図面の簡単な説明】
【００１３】
【図１】従来のＤＴＸパターンを示す図である。
【図２】ワイヤレス通信システムの例を示す図である。
【図３】図２に示す無線通信システムのＷＴＲＵの例およびＮｏｄｅ  Ｂの例を示すブロック図である。
【図４】ＤＣ−ＨＳＤＰＡの整列されたＤＲＸパターンを示す図である。
【図５】ＤＣ−ＨＳＤＰＡのオフセットＤＲＸパターンを示す図である。
【図６】ＤＣ−ＨＳＤＰＡのデュアルサイクルＤＲＸパターンを示す図である。
【図７】アンカー搬送波上データを受け取った後のアンカー搬送波上のＤＲＸ非活性化の例を示す図である。
【図８】アンカー搬送波上データを受け取った後のアンカー搬送波上のＤＲＸ非活性化の例を示す図である。
【図９】ＤＲＸ活性化／非活性化およびデュアルセル活性化／非活性化のＷＴＲＵ状態の遷移を示す状態の図である。
【発明を実施するための形態】
【００１４】
以下に言及されるとき、用語「ＷＴＲＵ」には、それだけに限らないが、ユーザー機器（ＵＥ）、移動局、固定または移動加入者装置、ページャ、携帯電話、ＰＤＡ（ｐｅｒｓｏｎａｌ  ｄｉｇｉｔａｌ  ａｓｓｉｓｔａｎｔ）、コンピュータ、または無線環境で動作可能な他のあらゆるタイプのユーザー装置が含まれる。以下に言及されるとき、用語「Ｎｏｄｅ  Ｂ」には、それだけに限らないが、基地局、サイトコントローラー、アクセスポイント（ＡＰ）、または無線環境で動作可能な他のあらゆるタイプのインターフェース装置が含まれる。
【００１５】
以下、用語「セル」および「搬送波」は、ＤＣ−ＨＳＤＰＡに関して区別なく用いられる。以下に言及されるとき、用語「アンカーセル」は、ＷＴＲＵに割り当てられたアップリンク搬送波に関連するダウンリンク搬送波を指し、用語「サプリメンタリセル」は、アンカー搬送波でないダウンリンク搬送波を指す。以下、用語「アンカーセル」および「アンカー搬送波」は、「サービングセル」および「サービング搬送波」、または「１次セル」および「１次搬送波」と等価であり、用語「サプリメンタリセル」および「サプリメンタリ搬送波」は、「２次セル」および「２次搬送波」と等価である。
【００１６】
図２は、複数のＷＴＲＵ  ２１０と、Ｎｏｄｅ  Ｂ  ２２０と、ＣＲＮＣ（ｃｏｎｔｒｏｌｌｉｎｇ  ｒａｄｉｏ  ｎｅｔｗｏｒｋ  ｃｏｎｔｒｏｌｌｅｒ）２３０と、ＳＲＮＣ（ｓｅｒｖｉｎｇ  ｒａｄｉｏ  ｎｅｔｗｏｒｋ  ｃｏｎｔｒｏｌｌｅｒ）２４０と、コアネットワーク２５０とを含む無線通信システムの例２００を示す。ＷＴＲＵ  ２１０は、Ｎｏｄｅ  Ｂ  ２２０と通信しており、このＮｏｄｅ  Ｂ  ２２０は、ＣＲＮＣ  ２３０およびＳＲＮＣ  ２４０と通信している。ＣＲＮＣ  ２３０およびＳＲＮＣ  ２４０は、同じエンティティであってよい。Ｎｏｄｅ  Ｂ  ２２０およびＷＴＲＵ  ２１０は、ＤＣ−ＨＳＤＰＡ対応のものであり、２つの搬送波を介してダウンリンクデータを送受信することができる。
【００１７】
図３は、ＷＴＲＵの例２１０およびＮｏｄｅ  Ｂの例２２０のブロック図である。ＷＴＲＵ  ２１０はＮｏｄｅ  Ｂ  ２２０と通信しており、両方が、ＤＣ−ＨＳＤＰＡモードでＤＴＸおよびＤＲＸを実行するように構成される。ＷＴＲＵ  ２１０は、コントローラー２１５と、レシーバー２１６と、トランスミッター２１７と、アンテナ２１８とを含む。コントローラー２１５は、以下に開示される実施形態に従ってレシーバー２１６およびトランスミッター２１７を、ＤＣ−ＨＳＤＰＡモードでＤＲＸおよびＤＴＸ動作するように制御するように構成される。Ｎｏｄｅ  Ｂ  ２２０は、コントローラー２２５と、レシーバー２２６と、トランスミッター２２７と、アンテナ２２８とを含む。コントローラー２２５は、以下に開示される実施形態に従ってレシーバー２２６およびトランスミッター２２７を、ＤＣ−ＨＳＤＰＡモードでＤＴＸおよびＤＲＸ動作するように制御するように構成される。
【００１８】
Ｎｏｄｅ  Ｂ  ２２０は、アンカー搬送波およびサプリメンタリ搬送波を介して同時にデータをＷＴＲＵ  ２１０に送信することができ、ＷＴＲＵ  ２１０は、アンカー搬送波およびサプリメンタリ搬送波上でデータを同時に受け取ることができる。アンカー搬送波およびサプリメンタリ搬送波は、同じ周波数帯で動作することができる。アンカー搬送波およびサプリメンタリ搬送波は、同じ時間基準を有することができ、それらのダウンリンクは、同期可能である。
【００１９】
ＤＣ−ＨＳＤＰＡ動作が活性化されるとき、ＷＴＲＵ  ２１０は、２つのダウンリンク搬送波のうちいのいずれか１つからデータを受け取ってよい。ＷＴＲＵ  ２１０が同時に両方の搬送波上のＨＳ−ＳＣＣＨを監視するように構成される場合、新しいＤＲＸパターンを確立して、サプリメンタリ搬送波を考慮に入れることが有利である。アンカー搬送波のＤＲＸパターン（すなわちＨＳ−ＳＣＣＨ受信パターン）は、現在実施されている従来のパターンに従うことができる。サプリメンタリ搬送波のＤＲＸパターンを構成するための実施形態について、以下に開示される。
【００２０】
第１の実施形態によれば、アンカーセルとサプリメンタリセルとのＤＲＸパターンが整列される。サプリメンタリ搬送波のＷＴＲＵ  ＨＳ−ＳＣＣＨ受信パターンは、アンカー搬送波のＨＳ−ＳＣＣＨ受信パターンに正確に整列される。これによって、ＷＴＲＵが両方の搬送波上のＨＳ−ＳＣＣＨを同時に監視することが可能となり、ＷＴＲＵハードウェア実装および構成に応じてバッテリ電力が節約される。さらに、これは、ネットワークが唯一のＤＲＸパターンを示すことを可能にし、それによって、ネットワークは、アンカーセルとサプリメンタリセルの両方に適用される１つのＤＲＸパターンだけをシグナリングすることができる。
【００２１】
オプションとして、アップリンクサプリメンタリ搬送波がある場合、アップリンクアンカー搬送波とアップリンクサプリメンタリ搬送波の両方のＤＴＸパターンが整列されてよい。ネットワークは、両方のアップリンク搬送波に適用される１つのＤＴＸパターンだけをシグナリングする。
【００２２】
ＤＲＸおよび／またはＤＴＸパターンの開始（または活性化および非活性化）は、アンカーセルまたはサプリメンタリセルから、ＨＳ−ＳＣＣＨオーダー（すなわちＨＳ−ＳＣＣＨオーダー内のＤＲＸ活性化／非活性化ビット）を介してシグナリングされてよく、暗黙的に両方のセルに適用される。あるいは、ＨＳ−ＳＣＣＨオーダーは各セルを介して送信されて、各セルのＤＲＸ（および／またはＤＴＸ）がそれぞれ独立に制御されてよい。
【００２３】
第１の実施形態によれば、両方の搬送波のＨＳ−ＳＣＣＨ受信パターンは、１組のサブフレームとして定義することができ、この１組のサブフレームのＨＳ−ＳＣＣＨ  ＤＲＸ無線フレーム数ＣＦＮ＿ＤＲＸおよびサブフレーム数Ｓ＿ＤＲＸは、次式を満たす。
（（５×ＣＦＮ＿ＤＲＸ−ＵＥ＿ＤＴＸ＿ＤＲＸ＿Ｏｆｆｓｅｔ＋Ｓ＿ＤＲＸ）  ＭＯＤ  ＵＥ＿ＤＲＸ  ｃｙｃｌｅ）＝０    数式（１）
ただし、ＵＥ＿ＤＴＸ＿ＤＲＸ＿Ｏｆｆｓｅｔは、サブフレーム内のアップリンクＤＰＣＣＨバーストパターンおよびＨＳ−ＳＣＣＨ受信パターンのオフセットであり、ＵＥ＿ＤＲＸ＿ｃｙｃｌｅは、サブフレーム内のＨＳ−ＳＣＣＨ受信パターンの長さである。
【００２４】
図４は、ＵＥ＿ＤＲＸ＿ｃｙｃｌｅ＝４について、２ミリ秒送信時間間隔（ＴＴＩ）の間の整列されたＤＲＸパターンを示している。最上行４０３は、アンカーセル上のＤＲＸパターンを示しており、最下行４０５は、サプリメンタリセル上のＤＲＸパターンを示している。アンカーセルとサプリメンタリセルのＤＲＸパターンは、ＷＴＲＵがサブフレーム４０７および４０９上のＨＳ−ＳＣＣＨを監視し、サブフレーム４１１および４１３上のＨＳ−ＰＤＳＣＨを同時に受け取ることができるように整列される。
【００２５】
さらに、ＷＴＲＵは、サプリメンタリ搬送波上のＨＳ−ＳＣＣＨを監視するように構成されない場合には、（アンカー搬送波を介して送られたＨＳ−ＳＣＣＨによって示されるように）ＷＴＲＵがＨＳ−ＰＤＳＣＨを期待しているＴＴＩの間を除いて、サプリメンタリ搬送波をリッスンしないことが許され得る（すなわち一定ＤＲＸ）。
【００２６】
第２の実施形態によれば、サプリメンタリ搬送波のＷＴＲＵ  ＤＲＸパターンは、アンカー搬送波のＤＲＸパターンに合わせてオフセットされる。このオフセットは、ネットワークによってあらかじめ定義されるか、構成されるかのいずれかである。いずれにせよ、アンカー搬送波のＨＳ−ＳＣＣＨ受信パターンは、１組のサブフレームとして定義することができ、この１組のサブフレームのＨＳ−ＳＣＣＨ  ＤＲＸ無線フレーム数ＣＦＮ＿ＤＲＸおよびサブフレーム数Ｓ＿ＤＲＸによって、次式が検証される。
（（５×ＣＦＮ＿ＤＲＸ−ＵＥ＿ＤＴＸ＿ＤＲＸ＿Ｏｆｆｓｅｔ＋Ｓ＿ＤＲＸ）  ＭＯＤ  ＵＥ＿ＤＲＸ  ｃｙｃｌｅ）＝０    数式（２）
サプリメンタリ搬送波のＨＳ−ＳＣＣＨ受信パターンは、１組のサブフレームとして定義することができ、この１組のサブフレームのＨＳ−ＳＣＣＨ不連続受信無線フレーム数ＣＦＮ＿ＤＲＸおよびサブフレーム数Ｓ＿ＤＲＸによって、次式が検証される。
（（５×ＣＦＮ＿ＤＲＸ−ＵＥ  ＤＴＸ＿ＤＲＸ＿Ｏｆｆｓｅｔ＋ＳＵＰＰＣ＿ＯＦＦＳＥＴ＋Ｓ＿ＤＲＸ）  ＭＯＤ  ＵＥ＿ＤＲＸ  ｃｙｃｌｅ）＝０    数式（３）
ただし、ＳＵＰＰＣ＿ＯＦＦＳＥＴは、サプリメンタリ搬送波のＨＳ−ＳＣＣＨ受信パターンのアンカー搬送波のＨＳ−ＳＣＣＨ受信パターンに対するオフセットである。ＳＵＰＰＣ＿ＯＦＦＳＥＴを、ネットワークがあらかじめ定義できるまたは構成できる。ＳＵＰＰＣ＿ＯＦＦＳＥＴ値は１とすることができ、その場合には、アンカー搬送波およびサプリメンタリ搬送波のＤＲＸパターンは、時間差が設けられる。あるいはまた、ＳＵＰＰＣ＿ＯＦＦＳＥＴは、下限（ＵＥ＿ＤＲＸ  ｃｙｃｌｅ／２）に設定されてよく、その場合、アンカー搬送波とサプリメンタリ搬送波とのＤＲＸパターンは交互に起こる。
【００２７】
図５は、ＵＥ＿ＤＲＸ＿ｃｙｃｌｅ＝４およびＳＵＰＰＣ＿ＯＦＦＳＥＴ＝１について、２ｍｓ  ＴＴＩの間のオフセットＤＲＸパターンを示す。最上行５０３は、アンカーセル上のＤＲＸパターンを示しており、最下行５０５は、サプリメンタリセル上のＤＲＸパターンを示す。アンカーセルとサプリメンタリセルのＤＲＸパターンは、ＷＴＲＵがサブフレーム５０７および５０９上でＨＳ−ＳＣＣＨを監視し、サブフレーム５１１および５１３上でＨＳ−ＰＤＳＣＨを受け取ることができるように時間差が設けられている。
【００２８】
ＷＴＲＵ  ＤＴＸサイクルは、アンカー搬送波だけ、またはサプリメンタリ搬送波だけのＤＲＸサイクルに対して整列されてよい。あるいはまた、ＷＴＲＵ  ＤＴＸサイクルは、アンカー搬送波とサプリメンタリ搬送波の両方のＤＲＸサイクルと整列されてよい。あるいはまた、ＷＴＲＵは、１つまたは両方のダウンリンク搬送波上でＣＲＸ（ｃｏｎｔｉｎｕｏｕｓ  ｒｅｃｅｐｔｉｏｎ）にあるとき、常にＣＴＸ（ｃｏｎｔｉｎｕｏｕｓ  ｔｒａｎｓｍｉｓｓｉｏｎ）にあってよい。
【００２９】
ＤＲＸおよび／またはＤＴＸモードの開始は、アンカーセルまたはサプリメンタリセルからのＨＳ−ＳＣＣＨオーダーを介してシグナリングすることができ、暗黙的に両方のセルに適用することができる。あるいは、ＤＲＸおよび／またはＤＴＸは、例えば各セルから生じるＨＳ−ＳＣＣＨオーダーを使用することによって、セルごとにそれぞれ独立に活性化することができる。
【００３０】
アンカー搬送波およびサプリメンタリ搬送波のＤＲＸパターンは、それぞれ独立に構成されてよく、その場合には、別個の独立したＤＲＸサイクルが、別個のダウンリンク搬送波に適用されてよい。この場合、ＤＲＸは、セルごとに独立して活性化および非活性化することも、一緒に活性化および非活性化することもできる。
【００３１】
さらに、ＷＴＲＵは、サプリメンタリ搬送波上のＨＳ−ＳＣＣＨを監視するように構成されない場合には、（アンカー搬送波を介して送られたＨＳ−ＳＣＣＨによって示されるように）ＷＴＲＵがＨＳ−ＰＤＳＣＨを期待しているＴＴＩの間を除いて、サプリメンタリ搬送波をリッスンしないことが許され得る（すなわち一定ＤＲＸ）。
【００３２】
第３の実施形態において、ＷＴＲＵは、上位レイヤーシグナリングによって、ネットワークにその受信パターンの嗜好を示す。異なるＷＴＲＵ実装は、搬送波間隔に応じて、異なるＤＲＸパターンからの恩恵を受けることができる。例えば、ＷＴＲＵは、上位レイヤーシグナリングによって次のオプションのうちの１つを知らせることができる。
（１）ＷＴＲＵは、搬送波間で整列されたＤＲＸパターンが望ましい。
（２）ＷＴＲＵは、搬送波間で時間差が設けられたＤＲＸパターンが望ましい。
（３）本開示の全体に渡って説明された他のＤＲＸパターンのうちのいずれか。
【００３３】
さらに、ＷＴＲＵは、ＲＲＣシグナリングによって、望ましいＳＵＰＰＣ＿ＯＦＦＳＥＴ値をネットワークに示すことができる。次いで、ネットワークは、それに応じてサプリメンタリ搬送波のＷＴＲＵ  ＤＲＸパターンを構成する。ネットワークは、ＷＴＲＵ要求を満たさなくてよい。あるいは、ＷＴＲＵは、ＷＴＲＵが要求したＤＲＸパターンをネットワークが常に使用すると仮定できる。
【００３４】
さらに、ＷＴＲＵは、サプリメンタリ搬送波上のＨＳ−ＳＣＣＨを監視するように構成されない場合には（アンカー搬送波を介して送られたＨＳ−ＳＣＣＨによって示されるように）ＷＴＲＵがＨＳ−ＰＤＳＣＨを期待しているＴＴＩの間を除いて、サプリメンタリ搬送波をリッスンしないことが許され得る（すなわち一定ＤＲＸ）。
【００３５】
第４の実施形態によれば、サプリメンタリ搬送波のＷＴＲＵ  ＤＲＸパターンは、アンカー搬送波のＤＲＸパターンとは異なる周期を有することができる。サプリメンタリ搬送波周期のＤＲＸパターンは、アンカー搬送波のＤＲＸパターン周期の整数倍とすることができる。倍数因子は、あらかじめ定義されてもよいし、ネットワークによってシグナリングされてもよい。
【００３６】
倍数因子がＭである場合、サプリメンタリ搬送波のＨＳ−ＳＣＣＨ受信パターンは、１組のサブフレームとして定義することができ、この１組のサブフレームのＨＳ−ＳＣＣＨ  ＤＲＸ無線フレーム数ＣＦＮ＿ＤＲＸおよびサブフレーム数Ｓ＿ＤＲＸは、次式を満たす。
（（５×ＣＦＮ＿ＤＲＸ−ＵＥ＿ＤＴＸ＿ＤＲＸ＿Ｏｆｆｓｅｔ＋Ｓ＿ＤＲＸ）  ＭＯＤ  （Ｍ×ＵＥ＿ＤＲＸ  ｃｙｃｌｅ））＝０    数式（４）
例えば、倍数因子を２であるとすることができる。この場合、サプリメンタリ搬送波のＨＳ−ＳＣＣＨ受信パターンは、１組のサブフレームとして定義することができ、この１組のサブフレームのＨＳ−ＳＣＣＨ  ＤＲＸ無線フレーム数ＣＦＮ＿ＤＲＸおよびサブフレーム数Ｓ＿ＤＲＸによって、次式が検証される。
（（５×ＣＦＮ＿ＤＲＸ−ＵＥ＿ＤＴＸ＿ＤＲＸ＿Ｏｆｆｓｅｔ＋Ｓ＿ＤＲＸ）  ＭＯＤ  （２×ＵＥ  ＤＲＸ  ｃｙｃｌｅ））＝０    数式（５）
図６は、ＵＥ＿ＤＲＸ＿ｃｙｃｌｅ＝２およびＭ＝２について、２ミリ秒のＴＴＩの間のデュアルサイクルＤＲＸパターンを示しており、ただし、サプリメンタリセルのＤＲＸサイクルの長さは正確に、アンカーセルのＤＲＸサイクルの長さの２倍である。最上行６０１は、アンカーセル上のＤＲＸパターンを示しており、最下行６０３は、サプリメンタリセル上のＤＲＸパターンを示している。サプリメンタリセルのＤＲＸサイクルは、ＷＴＲＵがアンカーセル上のサブフレーム６０５およびサプリメンタリセル上のサブフレーム６０９上のＨＳ−ＳＣＣＨを監視し、それぞれサブフレーム６０７および６１１上でＨＳ−ＰＤＳＣＨを受け取ることができるように、アンカーセルの長さの２倍長い。
【００３７】
サプリメンタリおよびアンカー搬送波に適用されるＤＲＸ周期は、同じであってよい。あるいは、異なる独立したＤＲＸ周期を適用することができ、またはサプリメンタリ搬送波のＤＲＸ周期は、アンカー搬送波ＤＲＸ周期の整数倍であってよい。ＤＲＸ周期の開始は、アンカーセルのＤＲＸ周期に整列される（上述されたように、完全に整列され、またはＤＲＸサイクルの整数倍と整列される）が、継続時間は異なってよい。あるいは、アンカー搬送波のＤＲＸ周期は、サプリメンタリ搬送波のＤＲＸ周期の整数倍であってよい。
【００３８】
ＷＴＲＵ  ＤＴＸパターンは、アンカーとサプリメンタリとの両方のＤＲＸサイクルの重複周期と整列されてよい。これによって、ＷＴＲＵは、すべての搬送波、およびアップリンクとダウンリンクの両方で無線を完全にオフにすることができ、したがって電池寿命が最適化される。あるいは、ＤＴＸ周期は、アンカーセルまたはサプリメンタリセルのＤＲＸ周期と整列されてよい。
【００３９】
ＤＲＸおよび／またはＤＴＸ活性化および非活性化についての実施形態が、下記に開示される。データがサプリメンタリ搬送波上で受け取られる場合、ＷＴＲＵは、ＤＲＸから出て、Ｉｎａｃｔｉｖｉｔｙ＿Ｔｈｒｅｓｈｏｌｄ＿ｆｏｒ＿ＵＥ＿ＤＲＸ＿ｃｙｃｌｅの周期の間、後続のＨＳ−ＳＣＣＨをリッスンする。デュアルセルＨＳＤＰＡの文脈において、ＨＳ−ＳＣＣＨは、２つのダウンリンク搬送波のうちのいずれか１つで受け取られてよい。下記の説明において、データ送信は、それだけに限らないが、ＨＳ−ＳＣＣＨおよびＨＳ−ＰＤＳＣＨを含み得るが、Ｆ−ＤＰＣＨ（ｆｒａｃｔｉｏｎａｌ  ｄｅｄｉｃａｔｅｄ  ｐｈｙｓｉｃａｌ  ｃｈａｎｎｅｌ）およびＨＳ−ＳＣＣＨオーダーは、データ送信と見なされ得ない。
【００４０】
一実施形態によれば、ＤＲＸ活性化および非活性化は、各ダウンリンク搬送波上で完全に独立している。データがサプリメンタリ搬送波上で受け取られる場合、ＷＴＲＵは、あらかじめ構成された期間の間、ＨＳ−ＳＣＣＨ（またはＨＳ−ＰＤＳＣＨ）についてサプリメンタリ搬送波を監視する。アンカー搬送波上のＤＲＸパターンは、ＷＴＲＵ上でデータが受け取られていないかのように維持することができる。データがアンカー搬送波上で受け取られる場合も、同じ方法が適用される。
【００４１】
図７は、アンカー搬送波上でデータを受け取った後のアンカー搬送波上のＤＲＸ非活性化例を示している。図７の例において、アンカー搬送波およびサプリメンタリ搬送波のＤＲＸパターンは、２ミリ秒のＴＴＩおよびＵＥ＿ＤＲＸ＿ｃｙｃｌｅ＝４と整列される。最上行７０１および７０２は、それぞれアンカーセルおよびサプリメンタリセル上のＮｏｄｅ  Ｂ送信である。最下行７０３および７０４は、それぞれアンカーセルおよびサプリメンタリセル上のＷＴＲＵのＤＲＸパターンを示している。ＷＴＲＵは、構成されたＤＲＸパターンに従って、アンカー搬送波とサプリメンタリ搬送波の両方のサブフレーム７０７および７０９上のＨＳ−ＳＣＣＨをリッスンする。Ｎｏｄｅ  Ｂは、アンカーセルを介してサブフレーム７０５および７０６上でＨＳ−ＳＣＣＨを送信する。ＷＴＲＵは、サブフレーム７０５上でＨＳ−ＳＣＣＨを受け取ると、アンカーセル上のＤＲＸを非活性化し、アンカーセル上の最後の送信７０６から、Ｉｎａｃｔｉｖｉｔｙ＿Ｔｈｒｅｓｈｏｌｄ＿ｆｏｒ＿ＵＥ＿ＤＲＸ＿ｃｙｃｌｅサブフレーム（すなわちサブフレーム７０８）についてのアンカーセルの監視を開始する。ＷＴＲＵは、通常のＤＲＸパターンに従ってサプリメンタリセル上のＨＳ−ＳＣＣＨを監視する（すなわちサブフレーム７０９を監視する）。
【００４２】
あるいは、アンカー搬送波とサプリメンタリ搬送波のＤＲＸパターンは、互いにリンクされてよい。図８は、この代替案に従ってアンカー搬送波上のデータを受け取った後のアンカー搬送波上のＤＲＸ非活性化例を示す。図８の例において、アンカー搬送波およびサプリメンタリ搬送波のＤＲＸパターンは、２ミリ秒のＴＴＩおよびＵＥ＿ＤＲＸ＿ｃｙｃｌｅ＝４に整列される。最上行８０１および８０２は、それぞれアンカーセルおよびサプリメンタリセル上のＮｏｄｅ  Ｂ送信である。最下行８０３および８０４は、それぞれアンカーセルおよびサプリメンタリセル上のＷＴＲＵのＤＲＸパターンを示している。ＷＴＲＵは、構成されたＤＲＸパターンに従ってアンカー搬送波とサプリメンタリ搬送波の両方のサブフレーム８０７および８０９上のＨＳ−ＳＣＣＨをリッスンする。Ｎｏｄｅ  Ｂは、サブフレーム８０５および８０６上のアンカーセルを介してＨＳ−ＳＣＣＨを送信する。ＷＴＲＵは、サブフレーム８０５上のＨＳ−ＳＣＣＨを受け取ると、アンカーセルとサプリメンタリセルの両方でＤＲＸを非活性化し、アンカーセル上の最後の送信８０６から、Ｉｎａｃｔｉｖｉｔｙ＿Ｔｈｒｅｓｈｏｌｄ＿ｆｏｒ＿ＵＥ＿ＤＲＸ＿ｃｙｃｌｅサブフレーム（すなわちサブフレーム８０８および８１０）についてのアンカーセルおよびサプリメンタリセルの監視を開始する。
【００４３】
あるいは、データがサプリメンタリ搬送波上で受け取られるときは、ＷＴＲＵは、Ｉｎａｃｔｉｖｉｔｙ＿Ｔｈｒｅｓｈｏｌｄ＿ｆｏｒ＿ＵＥ＿ＤＲＸ＿ｃｙｃｌｅの継続時間の間、ＨＳ−ＳＣＣＨおよび／またはＨＳ−ＰＤＳＣＨについてサプリメンタリ搬送波とアンカー搬送波の両方を監視するが、ＷＴＲＵがアンカー搬送波上でデータを受け取るときは、ＤＲＸは、サプリメンタリ搬送波上で維持されてよい。
【００４４】
これらの異なるメカニズムは、Ｌ３シグナリングを使用してネットワークによって構成されてもよいし、ＷＴＲＵ内であらかじめ定義されてもよい。
【００４５】
ＨＳ−ＰＤＳＣＨ搬送波表示の実施形態について、以下に述べられる。ＨＳ−ＳＣＣＨが２つの搬送波のうちの１つだけで（好ましくはアンカー搬送波上）で送信される場合、関連するＨＳ−ＰＤＳＣＨについてどの搬送波をリッスンするか示す追加の表示を提供する必要がある。下記に述べられた実施形態は、ＨＳ−ＰＤＳＣＨを介したデータ送信またはＨＳ−ＳＣＣＨオーダーのためのＨＳ−ＳＣＣＨスケジューリングに適用可能であり、ＷＴＲＵは、ＨＳ−ＳＣＣＨ上のそのＨ−ＲＮＴＩ（ＨＳ−ＤＳＣＨ  ｒａｄｉｏ  ｎｅｔｗｏｒｋ  ｔｅｍｐｏｒａｒｙ  ｉｄｅｎｔｉｔｙ）を復号した後にＨＳ−ＰＤＳＣＨを監視する必要はないことに留意されたい。
【００４６】
一実施形態によれば、ＷＴＲＵがＨＳ−ＰＤＳＣＨまたはＨＳ−ＳＣＣＨについて監視する必要がある搬送波は、ＨＳ−ＳＣＣＨチャネライゼーションコードに直接リンクされる。これは、非特許文献１に定義されたＨＳ−ＳＣＣＨ  Ｉｎｆｏ情報要素（ＩＥ）内に搬送波（サプリメンタリまたはアンカー）を示す情報要素（ＩＥ）を追加することにより達成することができる。例えば、新しい行が、表１に示されたＨＳ−ＳＣＣＨ  Ｉｎｆｏ  ＩＥに追加されてよい。表１で、ダウンリンク搬送波を示すための新しく追加されたアイテムには、下線が引かれている。
【００４７】
【表１】
0005525089.tif 000002
【００４８】
あるいは、それぞれの搬送波に、別個のＨ−ＲＮＴＩ（アンカー搬送波に一方、サプリメンタリ搬送波にもう一方）が割り当てられる。ＷＴＲＵは、両方のＨ−ＲＮＴＩについてＨＳ−ＳＣＣＨを監視する。アンカー搬送波のＨ−ＲＮＴＩがＨＳ−ＳＣＣＨ上で復号される場合は、ＷＴＲＵは、スケジューリングがアンカー搬送波に適用可能であることを知り、サプリメンタリ搬送波のＨ−ＲＮＴＩがＨＳ−ＳＣＣＨ上で復号される場合は、ＷＴＲＵは、スケジューリングがサプリメンタリ搬送波に適用可能であることを知る。
【００４９】
あるいは、関連するＨＳ−ＰＤＳＣＨの搬送波は、関連するＨＳ−ＳＣＣＨ内に明示的に示されてよい。搬送波情報は、ＷＴＲＵがＨＳ−ＰＤＳＣＨをバッファし始めるのにこの情報を必要とするので、ＨＳ−ＳＣＣＨの第１の部分で運ばなければならない。搬送波表示ビット、ｘciは、ＨＳ−ＳＣＣＨ内に従来のチャネライゼーションコードセットのビットの一部として含まれてよい。これは、搬送波の柔軟性を犠牲にして、チャネライゼーションコードスケジューリングの柔軟性を減少させることによって達成することができる。ＤＣ−ＨＳＤＰＡ動作用に構成されたＷＴＲＵは、新しい定義に従ってＨＳ−ＳＣＣＨのチャネライゼーションコードセットビットを自動的に再解釈して、搬送波表示、チャネライゼーションコードオフセット、および関連するデータ送信内のＨＳ−ＰＤＳＣＨコードの数を決定する。
【００５０】
あるいは、第１の部分が搬送波表示についての追加のビットを含む、新しいＨＳ−ＳＣＣＨタイプが定義されてよい。例えば、ＷＴＲＵがＭＩＭＯ動作用に構成されない場合は、新しいＨＳ−ＳＣＣＨタイプは、そのパート１に以下の情報を含んでよい。
−  チャネライゼーションコードセット情報（７ビット）：ｘccs,1，ｘccs,2，…，ｘccs,7
−  変調方式情報（１ビット）：ｘms,1
−  搬送波表示情報（１ビット）：ｘci
同様に、ＷＴＲＵがＭＩＭＯ動作用に構成される場合は、新しいＨＳ−ＳＣＣＨタイプは、そのパート１に以下の情報を含んでよい。
−  チャネライゼーションコードセット情報（７ビット）：ｘccs,1，ｘccs,2，…，ｘccs,7
−  変調方式およびトランスポートブロック情報の数（３ビット）：ｘms,1，，ｘms,2，ｘms,3
−  プリコーディング重み情報（２ビット）：Ｘpwipb1，Ｘpwipb2
−  搬送波表示情報（１ビット）：ｘci
例えば、搬送波表示ビットは、ｘci＝０のときは、関連するＨＳ−ＰＤＳＣＨがアンカー搬送波上で送信され、そうでない場合は、関連するＨＳ−ＰＤＳＣＨがサプリメンタリ搬送波上で送信されるように定義されてよい。両方の場合で、単に新しいレートマッチングパラメータを定義することによって、ＨＳ−ＳＣＣＨパート１の従来のメカニズムと類似のチャネル符号化メカニズムを再利用することが可能である。
【００５１】
別の実施形態によれば、ＷＴＲＵは、アンカー搬送波またはサプリメンタリ搬送波上のＨＳ−ＳＣＣＨ受信のタイミングに基づいて、アンカー搬送波上のデータを復号すべきか、それともサプリメンタリ搬送波上のデータを復号すべきか決定する。
【００５２】
アンカー搬送波およびサプリメンタリ搬送波に、時間差が設けられたＤＲＸパターンが用いられる場合、その表示は、ＷＴＲＵが搬送波のうちのある搬送波上で受信を試みるべきかどうか決定するのに使用されるものと同じ基準（公式）に当然基づく。これは、ＨＳ−ＳＣＣＨが、ＤＲＸパターンによるアンカー搬送波上の受信が可能である時刻（ｔｉｍｅ  ｉｎｓｔａｎｔ）に受信される場合にはアンカー搬送波を、ＤＲＸパターンによるサプリメンタリ搬送波上の受信が可能である時刻に受信される場合にはサプリメンタリ搬送波を指すことを意味する。いずれの場合も、ＨＳ−ＳＣＣＨは、アンカー搬送波またはサプリメンタリ搬送波のいずれかで送信可能であるが、どの搬送波をリッスンしなければならないかの明示的な表示をＨＳ−ＳＣＣＨ自体に設ける必要はない。
【００５３】
あるいは、アンカー搬送波またはサプリメンタリ搬送波上のＨＳ−ＰＤＳＣＨの受信についての異なるパターンがあってもよい。例えば、ＷＴＲＵは、ＨＳ−ＳＣＣＨが１組のサブフレーム上で受け取られる場合、アンカー搬送波上のＨＳ−ＰＤＳＣＨを復号することができ、この１組のサブフレームの無線フレーム数ＣＦＮ＿Ａｎｃｈｏｒおよびサブフレーム数Ｓ＿Ａｎｃｈｏｒは、次式を満たす。
（５×ＣＦＮ＿Ａｎｃｈｏｒ−Ａｎｃｈｏｒ＿Ｏｆｆｓｅｔ＋Ｓ＿Ａｎｃｈｏｒ）  ＭＯＤ  ２）＝０    数式（６）
ＷＴＲＵは、すべての他のサブフレームにおいて、サプリメンタリ搬送波上のＨＳ−ＰＤＳＣＨを復号する。
【００５４】
ダウンリンク搬送波にＨＳ−ＰＤＳＣＨを復号するようシグナリングするこの実施形態が使用され、時間差が設けられたＤＲＸパターンが使用される場合、ＷＴＲＵは、いずれかの搬送波のＤＲＸ受信パターンによって定義されたサブフレームから始めて、２つの連続するＴＴＩ内にＨＳ−ＳＣＣＨを受け取る必要があり得る。
【００５５】
以下に、高速サプリメンタリ搬送波活性化および非活性化のための実施形態が開示される。サプリメンタリ搬送波の活性化および非活性化は、Ｌ１またはＬ２シグナリングを使用することによって実行される。
【００５６】
一実施形態によれば、ネットワークは、ＷＴＲＵが連続受信をサプリメンタリ搬送波に適用すべき（事実上ＤＲＸを非活性化する）ことをＷＴＲＵに示すＬＩ信号を送信する。これは、新しいＨＳ−ＳＣＣＨオーダーまたは新しいタイプのＬ１メッセージを使用することによって達成することができる。新しいＨＳ−ＳＣＣＨオーダーまたはＬ１メッセージは、アンカー搬送波で送信されてもよいし、サプリメンタリ搬送波で送信されてもよい。ネットワークからこの信号を受け取ると、ＷＴＲＵは、ＨＳ−ＳＣＣＨオーダーまたはＬ１メッセージに基づいてサプリメンタリ搬送波の監視を開始または停止することができる（例えば「１」においてサプリメンタリ搬送波の活性化、「０」においてサプリメンタリ搬送波の非活性化など）。
【００５７】
あるいは、ＷＴＲＵは、非アクティビティタイマーが終了すると、サプリメンタリ搬送波（すなわちサプリメンタリ搬送波上のＨＳ−ＳＣＣＨおよび／またはＨＳ−ＤＰＳＣＨ）の監視を自律的にディセーブルできる。より具体的には、サプリメンタリセル、またはオプションとしてアンカーセルとサプリメンタリセルとの両方で、構成された時間量の間ダウンリンクデータが受け取られない場合、ＷＴＲＵは、サプリメンタリセルへの監視をディセーブルすることができる。
【００５８】
ネットワークは、ＷＴＲＵにＨＳ−ＳＣＣＨオーダーまたはＬｌ信号を送信して、サプリメンタリ搬送波の活性化を示すことができる。これは、アンカー搬送波上で新しいＨＳ−ＳＣＣＨオーダーまたは新しいタイプのＬ１メッセージを使用することによって達成することができる。あるいは、ＷＴＲＵは、ダウンリンクトラフィックが受け取られる場合、サプリメンタリ搬送波の監視を自律的にイネーブルすることができる。オプションとして、サプリメンタリ搬送波の監視をイネーブルするための基準は、受け取られているトラフィックのタイプまたはデータ量に依存し得る。ネットワークからこの信号を受け取ると、ＷＴＲＵは、非活性化オーダー受信前と同じ構成を使用してサプリメンタリ搬送波の監視を開始し、またはサプリメンタリ搬送波の監視を停止することができる。具体的には、サプリメンタリ搬送波のＤＲＸステータスを、非活性化オーダーが受け取られる前の状態に戻すことができる。
【００５９】
あるいは、サプリメンタリ搬送波が活性化または再活性化されると、サプリメンタリ搬送波のＤＲＸは、常にディセーブルされ得る（あるいは、常にイネーブルされ得る）。あるいは、活性化または再活性化時のサプリメンタリ搬送波のＤＲＸ状態は、上位レイヤーシグナリングによって構成されてよい。
【００６０】
あるいは、サプリメンタリ搬送波が活性化または再活性化されると、ＷＴＲＵは、（整列された、または時間差が設けられた）アンカーセルと同じＤＲＸパターンを使用し始めてよい。例えば、アンカーセルがサプリメンタリセルの活性化時にアクティブなＤＲＸを有する場合は、ＷＴＲＵは、同じ受信パターンを使用してＤＲＸを開始することもできる。アンカーセルがＣＲＸにある場合は、サプリメンタリ搬送波もまた、ＣＲＸにあってよい。
【００６１】
サプリメンタリ搬送波活性化および非活性化は、デュアル（またはマルチ）ＤＲＸ方式と見なすこともできる。第１のＤＲＸサイクルは、上記に適用された実施形態のうちの１つを使用してＤＲＸパターンが両方の搬送波に適用されることを備え、第２のＤＲＸサイクルは、サプリメンタリ搬送波および継続したＤＲＸパターン、またはアンカー搬送波上の連続受信をディセーブルすることを備える。これは、２段階ＤＲＸメカニズムである。第１の段階は、ＣＲＸからＤＲＸに移ることを備え、第２の段階は、ＤＲＸから非アクティブに移ることを備える。ＤＲＸサイクル間の遷移は、以下のオプションの１つまたはその組合せに依存し得る。
（１）非アクティビティタイマー
（２）上述されたＨＳ−ＳＣＣＨオーダーまたはＬｌシグナリング
（３）ＲＲＣシグナリング
（４）搬送波のうちの１つの搬送波上のダウンリンクトラフィック（すなわちＨＳ−ＳＣＣＨまたはＨＳ−ＤＰＳＣＨ）の受信
（５）搬送波のうちの１つでダウンリンクトラフィック（すなわちＨＳ−ＳＣＣＨまたはＨＳ−ＤＰＳＣＨ）を受信して、他方の搬送波上でスケジューリング情報を示す
ＷＴＲＵは、第２のＤＲＸサイクルに入ると、ＨＳ−ＳＣＣＨオーダーが受信される場合またはダウンリンクトラフィックが受信される場合には、第１のＤＲＸサイクル（両方の搬送波がＤＲＸにある）に遷移できる。あるいは、ＷＴＲＵは、第２のＤＲＸサイクルから直接に連続送信に遷移できる。
【００６２】
あるいは、ＷＴＲＵは、ダウンリンクアンカーセルチャネル（すなわちＨＳ−ＳＣＣＨおよび／またはＨＳ−ＤＰＳＣＨ）の監視をディセーブルおよびイネーブルすることができ、構成されたＤＲＸサイクルまたはサプリメンタリセル上の連続受信を使用してサプリメンタリセルをリッスンする。サプリメンタリセルの監視をイネーブル／ディセーブルする上記のオプションは、この代替案に適用することもできる。
【００６３】
ＷＴＲＵ上の節電を向上させるための実施形態が、以下に開示される。ルールとシグナリングの新しいセットが、ＤＣ−ＨＳＤＰＡモードにおけるＷＴＲＵのＤＲＸ／ＤＴＸの高速活性化および非活性化のために定義される。活性化および非活性化は、ダウンリンク搬送波ごとに別々に実行されてよい。これは、搬送波ごとに別々のＨＳ−ＳＣＣＨオーダーを介してＷＴＲＵに活性化／非活性化オーダーを明示的にシグナリングすることによって達成することができる。この柔軟性によって、追加の電力消費、シグナリング負荷、およびダウンリンク上のコード空間使用の増加がもたらされる。
【００６４】
一実施形態によれば、ＤＣ−ＨＳＤＰＡ対応ＷＴＲＵのデュアルＤＴＸ／ＤＲＸ状態が、サプリメンタリ搬送波の状態（アクティブまたは非アクティブ）と、アンカー搬送波およびサプリメンタリ搬送波のＤＲＸ状態（アクティブまたは非アクティブ）と、アップリンク搬送波上のＤＴＸステータス（アクティブまたは非アクティブ）の組合せによって定義される。ＤＣ−ＨＳＤＰＡ対応ＷＴＲＵは、いくつかのデュアルＤＴＸ／ＤＲＸ状態にあることができる。あるデュアルＤＴＸ／ＤＲＸ状態から別のデュアルＤＴＸ／ＤＲＸ状態への一部の遷移は、他の遷移よりも普及していることがある。したがって、これらに関連するシグナリングコストは、最小限に抑えるべきである。
【００６５】
シグナリングメカニズムとルールの以下のセットは、普及した状態遷移に関連するシグナリング負荷を減少させるために提供される。それらは、あらゆる順序で使用してもよいし、あらゆる組合せで使用してもよい。
【００６６】
ルール１：サプリメンタリ搬送波がアクティブ状態にあるとき、およびＤＲＸがアンカー搬送波上で（通常のリリース７  ＨＳ−ＳＣＣＨオーダーを介して）明示的に活性化されるとき、ＤＲＸは、サプリメンタリ搬送波上で暗黙的に活性化される。このルールによって、低いダウンリンクアクティビティの期間に両方の搬送波についてＷＴＲＵをＤＲＸ状態にするＨＳ−ＳＣＣＨオーダーの数を減らすことができる。
【００６７】
ルール２：サプリメンタリ搬送波が（例えばＨＳ−ＳＣＣＨオーダーを介して）明示的に活性化されると、アンカー搬送波およびサプリメンタリ搬送波の両方のＤＲＸは、暗黙的に非活性化される。オプションとして、ＵＬアンカー搬送波上の（およびオプションとして、ＵＬサプリメンタリ搬送波が存在する場合にはＵＬサプリメンタリ搬送波上の）ＤＴＸも、暗黙的に非活性化される。これは、複数のＨＳ−ＳＣＣＨオーダーによって達成することができるが、この新しいルールによって、ネットワークは、高いダウンリンクアクティビティの期間にはＷＴＲＵを迅速に非常にアクティブな状態にすることができる。
【００６８】
ルール３：サプリメンタリ搬送波が（例えばＨＳ−ＳＣＣＨオーダーを介して）明示的に非活性化されると、アンカー搬送波上で、ＤＲＸが暗黙的にイネーブルされる。オプションとして、ＤＴＸもまた、ＵＬアンカー搬送波上で暗黙にイネーブルされてよい。このルールによって、ネットワークは、低いアクティビティの期間にはＷＴＲＵをバッテリ節約モードに、より迅速に移すことができる。
【００６９】
ルール４：ＤＲＸがサプリメンタリ搬送波上で（例えばＨＳ−ＳＣＣＨオーダーによって）明示的にディセーブルされる場合、アンカー搬送波上のＤＲＸは、暗黙的にディセーブルされる。オプションとして、第２のＵＬ搬送波が存在する場合には、第２のＵＬ搬送波上でＤＴＸが明示的にディセーブルされるとき、ＵＬアンカー搬送波上でＤＴＸが暗黙的にディセーブルされる。このルールによって、ネットワークは、低いアクティビティの期間にはＷＴＲＵをバッテリ節約モードに、より迅速に移すことができる。
【００７０】
図９は、低電力状態から高電力状態への、およびその逆の遷移を達成するために、単一のサプリメンタリ搬送波活性化および非活性化オーダーの使用が、ルール２およびルール３と共にどのように使用され得るか示している。図９において、４つの状態が定義される：状態１（サプリメンタリセルがアクティブ、ＤＲＸ両方のセルがアクティブ）、状態２（サプリメンタリセルがアクティブ、ＤＲＸ両方のセルが非アクティブ）、状態３（サプリメンタリセルが非アクティブ、ＤＲＸ両方のセルがアクティブ）、状態４（サプリメンタリセルが非アクティブ、ＤＲＸ両方のセルが非アクティブ）。サプリメンタリセル活性化オーダーを受け取ると（ステップ９０２）、ＷＴＲＵは、状態２から状態３に遷移し、サプリメンタリセルを活性化し、両方のセルについてＤＲＸを非活性化する。サプリメンタリセル非活性化オーダーを受け取ると（ステップ９０４）、ＷＴＲＵは、状態３から状態２に遷移し、サプリメンタリセルを非活性化し、両方のセルについてＤＲＸを活性化する。
【００７１】
あるいは、上記の暗黙のルールのうちの一部は、明示的なシグナリングを使用して実施できる。例えば、ルール２およびルール３は、明示的なシグナリングを使用することによって達成することもできる。これを行う可能な１つのやり方は、サプリメンタリセルの活性化および非活性化のために従来のＨＳ−ＳＣＣＨオーダービット内の予約されたビットを用いて単一のＨＳ−ＳＣＣＨオーダーを使用し、それぞれ（アンカー搬送波とサプリメンタリ搬送波の両方についての）ＤＲＸ、およびオプションとして（ＵＬ搬送波上の）ＤＴＸの活性化および非活性化を示すことである。
【００７２】
例えば、３つのＨＳ−ＳＣＣＨオーダービットの第１のビットを使用して、アンカーセルおよびサプリメンタリセルのＤＲＸ活性化および非活性化を示すことができ、３つのＨＳ−ＳＣＣＨオーダービットの第２のビットを使用して、ＤＴＸ活性化および非活性化を示すことができる。例えば、第１のビットが「０」に設定される場合は、ＨＳ−ＳＣＣＨオーダーは、アンカーセルとサプリメンタリセルの両方のためのＤＲＸ非活性化オーダーである。第１のビットが「１」に設定される場合は、ＨＳ−ＳＣＣＨオーダーは、アンカーセルとサプリメンタリセルの両方のためのＤＲＸ活性化オーダーである。第２のビットが「０」に設定される場合は、ＨＳ−ＳＣＣＨオーダーは、ＤＴＸ非活性化オーダーである。第２のビットが「１」に設定される場合は、ＨＳ−ＳＣＣＨオーダーは、ＤＴＸ活性化オーダーである。ＵＬサプリメンタリ搬送波が存在する場合は、ＤＴＸは、アンカー搬送波とアップリンクサプリメンタリ搬送波の両方に適用することもできる。
【００７３】
ＤＣ−ＨＳＤＰＡにおいて、２つＣＱＩ（Ｃｈａｎｎｅｌ  Ｑｕａｌｉｔｙ  Ｉｎｄｉｃａｔｏｒ）フィードバックサイクル値：アンカーセル用に一方、およびサプリメンタリセル用の他方を、ＷＴＲＵに提供しなければならない。これらの値は、ＲＲＣシグナリングを介してネットワークによってＷＴＲＵに明示的に提供することができる：アンカー搬送波への値（変数ｋで示される）およびサプリメンタリ搬送波への値（変数ｋsで示される）。これによって、ネットワークによってＣＱＩ報告レートを、例えば別個のＤＲＸサイクルに対して最適化するように調整することが可能となる。
【００７４】
一実施形態によれば、サプリメンタリ搬送波のＣＱＩフィードバックサイクル継続時間は、ＷＴＲＵによって暗黙的に決定できる。サプリメンタリ搬送波のＣＱＩフィードバックサイクルは、アンカー搬送波のＣＱＩフィードバックサイクルと同一であってよい（すなわちｋs＝ｋ）。あるいは、サプリメンタリ搬送波のＤＲＸサイクルがアンカー搬送波のＤＲＸサイクルの係数（Ｍ）である場合において、サプリメンタリ搬送波のＣＱＩフィードバックサイクルは、アンカー搬送波のＣＱＩフィードバックサイクルの同じ係数倍で与えることができる（すなわちｋs＝Ｍ×ｋ）。値Ｍは、シグナリングされてもよいし、仕様内にあらかじめ構成されてよい（例えばＭ＝２）。この手法は、上記に開示された他の実施形態（例えば時間オフセットＣＱＩ報告）と組み合わせて、最大の柔軟性を達成することができる。
【００７５】
ＨＳ−ＳＣＣＨオーダーを介してサプリメンタリセルを活性化／非活性化するときのＷＴＲＵのアクションについて開示される。ＨＳ−ＳＣＣＨオーダーを介してサプリメンタリセルを非活性化すると、ＷＴＲＵは、サプリメンタリセルに関連するＨＡＲＱバッファをフラッシュし、かつ／またはＭＡＣ（ｍｅｄｉｕｍ  ａｃｃｅｓｓ  ｃｏｎｔｒｏｌ）エンティティに、サプリメンタリセルに関連する構成された各ＨＡＲＱプロセスについて（サプリメンタリセルが再活性化されると）次に受け取られるＨＡＲＱ送信を第１の送信と見なすべきと指示することができる。
【００７６】
上記アクションを実行するいくつかの方法がある。ある手法において、サプリメンタリセル非活性化オーダーを受け取ると、物理レイヤーは、サプリメンタリセルが非活性化されていることをＲＲＣレイヤーに示すことができる。次に、ＲＲＣレイヤーは、ＭＡＣレイヤーに、サプリメンタリセルに関連する構成されたすべてのＨＡＲＱプロセスについて次のＨＡＲＱ送信を第１のＨＡＲＱ送信と見なすべきと指示することができる。ＲＲＣレイヤーは、サプリメンタリセルに関連するＨＡＲＱバッファをフラッシュするようにＭＡＣレイヤーに指示することもできる。
【００７７】
（実施形態）  
１．ＷＴＲＵに実装された、ＤＣ−ＨＳＤＰＡでＤＲＸを実行するための方法。
２．アンカー搬送波およびサプリメンタリ搬送波のうちの少なくとも１つについてＤＲＸを活性化するためのメッセージを受け取ることを備えた実施形態１の方法。
３．メッセージを受け取ると、アンカー搬送波およびサプリメンタリ搬送波に同じＤＲＸパターンを適用することを備えた実施形態２の方法。
４．メッセージは、ＨＳ−ＳＣＣＨオーダーを介して受け取られる実施形態２−３の方法。
５．アンカー搬送波およびサプリメンタリ搬送波のうちいずれか１つを介してデータが受け取られるという条件でアンカー搬送波およびサプリメンタリ搬送波の両方においてＤＲＸを非アクティブにすることをさらに備えた実施形態２−４の方法。
６．アンカー搬送波およびサプリメンタリ搬送波のうち少なくとも１つについてＤＲＸを非活性化するための第２のメッセージを受け取ることをさらに備えた実施形態２−５の方法。
７．アンカー搬送波とサプリメンタリ搬送波との両方においてＤＲＸを非活性化することを備えた実施形態６の方法。
８．第２のメッセージがＨＳ−ＳＣＣＨ（ｈｉｇｈ  ｓｐｅｅｄ  ｓｈａｒｅｄ  ｃｏｎｔｒｏｌ  ｃｈａｎｎｅｌ）オーダーを介して受け取られる実施形態４の方法。
９．ＷＴＲＵに実装された、ＤＣ−ＨＳＤＰＡにおいて２つの搬送波上同時に受信するための方法。
１０．アンカー搬送波を介してサプリメンタリ搬送波を活性化するための物理レイヤー信号を受け取ることを備えた実施形態９の方法。
１１．物理レイヤー信号を受け取ると、サプリメンタリ搬送波を活性化することを備えた実施形態１０の方法。
１２．物理レイヤー信号は、ＨＳ−ＳＣＣＨオーダーである実施形態１０−１１の方法。
１３．サプリメンタリ搬送波を活性化すると、アンカー搬送波とサプリメンタリ搬送波との両方に同じＤＲＸパターンを適用することをさらに備えた実施形態１０−１３の方法。
１４．アンカー搬送波およびサプリメンタリ搬送波のうち１つを介してサプリメンタリ搬送波を非活性化するための第２の物理レイヤー信号を受け取ることをさらに備えた実施形態１０−１４の方法。
１５．第２の物理レイヤー信号を受け取ると、サプリメンタリ搬送波を非活性化することを備えた実施形態１４の方法。
１６．サプリメンタリ搬送波を非活性化すると、サプリメンタリ搬送波に関連するＨＡＲＱバッファをフラッシュすることをさらに備えた実施形態１４−１５の方法。
１７．サプリメンタリ搬送波を再活性化した後、サプリメンタリ搬送波を介して受け取られたデータを新しいデータとして処理することをさらに備えた実施形態１４−１５の方法。
１８．ＤＣ−ＨＳＤＰＡにおいてＤＲＸを実行するよう構成されたＷＴＲＵ。
１９．アンカー搬送波およびサプリメンタリ搬送波のうち少なくとも１つについてＤＲＸを活性化するためのメッセージを受け取るよう構成されたレシーバーを備えた実施形態１８のＷＴＲＵ。
２０．メッセージを受け取ると、アンカー搬送波およびサプリメンタリ搬送波に同じＤＲＸパターンを適用するよう構成されたコントローラーを備えた実施形態１９のＷＴＲＵ。
２１．レシーバーは、ＨＳ−ＳＣＣＨオーダーを介してメッセージを受け取るよう構成された実施形態１９−２０のＷＴＲＵ。
２２．コントローラーは、アンカー搬送波およびサプリメンタリ搬送波のうちいずれか１つを介してデータが受け取られるという条件でアンカー搬送波とサプリメンタリ搬送波との両方においてＤＲＸを非アクティブにするよう構成された実施形態２０−２１のＷＴＲＵ。
２３．コントローラーは、アンカー搬送波およびサプリメンタリ搬送波のうち少なくとも１つについてＤＲＸを非活性化するための第２のメッセージを受け取ると、アンカー搬送波とサプリメンタリ搬送波との両方においてＤＲＸを非活性化するよう構成された実施形態２０−２２のＷＴＲＵ。
２４．第２のメッセージは、ＨＳ−ＳＣＣＨオーダーを介して受け取られる実施形態２３のＷＴＲＵ。
２５．ＤＣ−ＨＳＤＰＡにおいて２つの搬送波上同時に受信するよう構成されたＷＴＲＵ。
２６．アンカー搬送波を介してサプリメンタリ搬送波を活性化するための物理レイヤー信号を受け取るよう構成されたレシーバーを備えた実施形態２５のＷＴＲＵ。
２７．物理レイヤー信号を受け取るとサプリメンタリ搬送波を活性化するよう構成されたコントローラーを備えた実施形態２６のＷＴＲＵ。
２８．物理レイヤー信号は、ＨＳ−ＳＣＣＨオーダーである実施形態２６−２７のＷＴＲＵ。
２９．コントローラーは、サプリメンタリ搬送波を活性化すると、アンカー搬送波とサプリメンタリ搬送波との両方に同じＤＲＸパターンを適用するよう構成された実施形態２７−２８のＷＴＲＵ。
３０．コントローラーは、アンカー搬送波およびサプリメンタリ搬送波のうち１つを介してサプリメンタリ搬送波を非活性化するための第２の物理レイヤー信号を受け取ると、サプリメンタリ搬送波を非活性化するよう構成された実施形態２７−２９のＷＴＲＵ。
３１．コントローラーは、サプリメンタリ搬送波を非活性化すると、サプリメンタリ搬送波に関連するＨＡＲＱバッファをフラッシュするよう構成された実施形態３０のＷＴＲＵ。
３２．コントローラーは、サプリメンタリ搬送波を再活性化した後、サプリメンタリ搬送波を介して受け取られたデータを新しいデータとして処理するよう構成された実施形態３０のＷＴＲＵ。
３３．ＤＣ−ＨＳＤＰＡにおいてＤＲＸをサポートするためのＮｏｄｅ  Ｂ。
３４．ＨＳ−ＳＣＣＨオーダーを送信するよう構成されたトランスミッターを備えた実施形態３３のＮｏｄｅ  Ｂ。
３５．アンカー搬送波およびサプリメンタリ搬送波について同じＤＲＸパターンによりＷＴＲＵにおいてＤＲＸを活性化するためのＨＳ−ＳＣＣＨオーダーを送るよう構成されたコントローラーを備えた実施形態３４のＮｏｄｅ  Ｂ。
３６．ＤＣ−ＨＳＤＰＡ動作をサポートするためのＮｏｄｅ  Ｂ。
３７．物理レイヤー信号を送信するよう構成されたトランスミッターを備えた実施形態３６のＮｏｄｅ  Ｂ。
３８．ＷＴＲＵ用のサプリメンタリ搬送波の活性化のための第１の物理レイヤー信号をアンカー搬送波により送り、ＷＴＲＵ用のサプリメンタリ搬送波を非活性化するための第２の物理レイヤー信号をアンカー搬送波およびサプリメンタリ搬送波のうちの１つにより送るよう構成されたコントローラーを備えた実施形態３７のＮｏｄｅ  Ｂ。
３９．ＷＴＲＵに実装され、サプリメンタリ搬送波を活性化することを備えた、ＤＣ−ＨＳＤＰＡにおいて２つの搬送波上同時に受信するための方法。
４０．アンカー搬送波およびサプリメンタリ搬送波のうち１つを介してサプリメンタリ搬送波を非活性化するための物理レイヤー信号を受け取ることを備えた実施形態３９の方法。
４１．物理レイヤー信号を受け取ると、サプリメンタリ搬送波を非活性化することを備えた実施形態４０の方法。
４２．アンカー搬送波およびサプリメンタリ搬送波のうち１つを介してサプリメンタリ搬送波を非活性化するための物理レイヤー信号を受け取るよう構成されたレシーバーを備えた、ＤＣ−ＨＳＤＰＡにおいて２つの搬送波上同時に受信するよう構成されたＷＴＲＵ。
４３．物理レイヤー信号を受け取ると、サプリメンタリ搬送波を非活性化するよう構成されたコントローラーを備えた実施形態４２のＷＴＲＵ。
【００７８】
機能および要素について、特定の組合せで上記に述べたが、それぞれの機能または要素は、他の機能および要素なしに単独に使用されてもよいし、他の機能および要素を伴うまたは伴わない様々な組合せで使用されてもよい。本明細書に示された諸方法またはフローチャートは、汎用コンピュータまたはプロセッサによって実行するためにコンピュータ読取り可能記憶媒体内に組み込まれたコンピュータプログラム、ソフトウェアまたはファームウェアで実施することができる。コンピュータ読取り可能記憶媒体の例には、ＲＯＭ（ｒｅａｄ  ｏｎｌｙ  ｍｅｍｏｒｙ）、ＲＡＭ（ｒａｎｄｏｍ  ａｃｃｅｓｓ  ｍｅｍｏｒｙ）、レジスタ、キャッシュメモリ、半導体記憶装置、内部ハードディスクおよび取外し可能ディスクなどの磁気媒体、磁気光媒体、ならびにＣＤ−ＲＯＭディスクおよびＤＶＤ（ｄｉｇｉｔａｌ  ｖｅｒｓａｔｉｌｅ  ｄｉｓｋ）などの光媒体が含まれる。
【００７９】
適切なプロセッサには、例を挙げると、汎用プロセッサ、特別目的プロセッサ、従来型プロセッサ、ＤＳＰ（ｄｉｇｉｔａｌ  ｓｉｇｎａｌ  ｐｒｏｃｅｓｓｏｒ）、複数のマイクロプロセッサ、ＤＳＰコアに関連する１つまたは複数のマイクロプロセッサ、コントローラー、マイクロコントローラー、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）回路、他のあらゆるタイプのＩＣ（ｉｎｔｅｇｒａｔｅｄ  ｃｉｒｃｕｉｔ）および／またはステートマシンが含まれる。
【００８０】
ソフトウェアに関連するプロセッサを使用して、ＷＴＲＵ、ユーザー機器（ＵＥ）、端末、基地局、ＲＮＣまたはあらゆるホストコンピュータで使用する無線周波数トランシーバを実装することができる。ＷＴＲＵは、カメラ、ビデオカメラモジュール、テレビ電話、スピーカフォン、振動装置、スピーカ、マイクロホン、テレビトランシーバ、ハンズフリーヘッドセット、キーボード、Ｂｌｕｅｔｏｏｔｈ（登録商標）モジュール、周波数変調（ＦＭ）無線ユニット、液晶ディスプレイ（ＬＣＤ）表示装置、有機発光ダイオード（ＯＬＥＤ）表示装置、デジタル音楽プレイヤー、メディアプレイヤー、ビデオゲームプレイヤーモジュール、インターネットブラウザ、および／またはあらゆる無線ＬＡＮ（ＷＬＡＮ）モジュールもしくは超広帯域（ＵＷＢ）モジュールなど、ハードウェアおよび／またはソフトウェアで実装されたモジュールと共に使用されてもよい。
【図１】
0005525089.tif 000003
【図２】
0005525089.tif 000004
【図３】
0005525089.tif 000005
【図４】
0005525089.tif 000006
【図５】
0005525089.tif 000007
【図６】
0005525089.tif 000008
【図７】
0005525089.tif 000009
【図８】
0005525089.tif 000010
【図９】
0005525089.tif 000011